(57)【要約】【課題】脚立上での作業者の身体を安定させて脚立を用いた作業の作業能率を向上させる。【解決手段】脚立２に脚立用足場１を取り付ける。この脚立用足場１は、天板１４の上部に固定される足場用踏板１６と、この足場用踏板１６が連結される２本の本体支柱１７，１８を有する脚立用足場本体フレーム１５とを有している。足場用踏板１６は脚立２の天板１４より広い足場面積を有しており、また、脚立用足場本体フレーム１５の足場用踏板１６が連結される部分より上側は手摺２２となっている。したがって、脚立２に昇った作業者の足場は広く、また、作業者は手摺２２に掴まることができるため、脚立２上で身体を安定させることができる。【選択図】　　　図１
2004036155.tif 000002
【特許請求の範囲】
【請求項１】
それぞれ相互に横桟により固定される縦枠を備えた２つの脚体を開脚状態と閉脚状態とに開閉自在に上端部で連結してなる脚立に着脱自在に取り付けられる脚立用足場であって、
前記脚立の上端部に設けられた天板の上部に固定され、前記天板よりも広い面積を有する足場用踏板と、
下端部に前記横桟に連結される連結部が設けられ、上端部に前記足場用踏板が連結される脚部と、
前記脚部の上部に設けられ、前記足場用踏板よりも上方に向けて突出して延びる手摺とを有することを特徴とする脚立用足場。
【請求項２】
請求項１記載の脚立用足場において、前記脚部に一体となった複数本の手摺用支柱と、前記手摺用支柱を相互に連結する水平梁部材とにより前記手摺を形成したことを特徴とする脚立用足場。
【請求項３】
請求項１または２記載の脚立用足場において、前記手摺に背板部材が取り付けられていることを特徴とする脚立用足場。
【請求項４】
請求項１記載の脚立用足場において、前記脚部に一体となった１本の手摺用支柱により前記手摺を形成したことを特徴とする脚立用足場。
【請求項５】
請求項１〜４のいずれか１項に記載の脚立用足場において、前記足場用踏板が前記脚部に対して折り畳み自在に設けられていることを特徴とする脚立用足場。
【請求項６】
請求項１〜５のいずれか１項に記載の脚立用足場において、前記脚部が伸縮自在であることを特徴とする脚立用足場。
【発明の詳細な説明】
【０００１】
【発明の属する技術分野】
本発明は脚立に取り付けられて脚立上での作業の安全性を向上させる脚立用足場に関する。
【０００２】
【従来の技術】
脚立は、それぞれ左右一対の縦枠とこれらの縦枠間に設けられた複数段の横桟とを有する前後一対の脚体を互いにその上端部において開脚状態と閉脚状態とに姿勢変形自在に連結し、その上端部には作業者の足場となる天板が設けられたものである。このような脚立は、作業者が高所での作業を行う際に用いられることになる。たとえば、建築物の壁面の補修作業や塗装作業などを行う際には、この脚立を壁面の側に設置して、作業者がその作業高さに応じて天板もしくは横桟に昇り、そこを足場として高所での作業を行うことになる。
【０００３】
【発明が解決しようとする課題】
しかし、このような脚立では、その天板の足場面積は狭く、また、作業者の身体を支えるための手摺等が設けられていないため、作業者が天板上で作業を行う際には身体が不安定となる。そのため、作業者は常に身体を安定させることに神経を使うことになり、結果、作業に集中することができず作業能率を低下させることになっていた。
【０００４】
本発明の目的は、脚立上での作業者の身体を安定させて脚立を用いた作業の作業能率を向上することにある。
【０００５】
【課題を解決するための手段】
本発明の脚立用足場は、それぞれ相互に横桟により固定される縦枠を備えた２つの脚体を開脚状態と閉脚状態とに開閉自在に上端部で連結してなる脚立に着脱自在に取り付けられる脚立用足場であって、前記脚立の上端部に設けられた天板の上部に固定され、前記天板よりも広い面積を有する足場用踏板と、下端部に前記横桟に連結される連結部が設けられ、上端部に前記足場用踏板が連結される脚部と、前記脚部の上部に設けられ、前記足場用踏板よりも上方に向けて突出して延びる手摺とを有することを特徴とする。
【０００６】
本発明の脚立用足場は、前記脚部に一体となった複数本の手摺用支柱と、前記手摺用支柱を相互に連結する水平梁部材とにより前記手摺を形成したことを特徴とする。
【０００７】
本発明の脚立用足場は、前記手摺に背板部材が取り付けられていることを特徴とする。
【０００８】
本発明の脚立用足場は、前記脚部に一体となった１本の手摺用支柱により前記手摺を形成したことを特徴とする。
【０００９】
本発明にあっては、脚立上で作業する作業者の足場面積が広くなり、また、作業者の身体を支えるための手摺が設けられるので、脚立上での作業者の身体を安定させることができる。
【００１０】
本発明の脚立用足場は、前記足場用踏板が前記脚部に対して折り畳み自在に設けられていることを特徴とする。
【００１１】
本発明にあっては、足場用踏板を脚部に対して折り畳むことにより脚立用足場の外部寸法を縮小することができるので、この脚立用足場の持ち運びを容易にし、また、その保管スペースを縮小することができる。
【００１２】
本発明の脚立用足場は、前記脚部が伸縮自在であることを特徴とする。
【００１３】
本発明にあっては、足場用踏板と横桟との間における脚部の寸法を変えることができるので、この脚立用足場の汎用性を高めることができる。
【００１４】
【発明の実施の形態】
以下、本発明の実施の形態を図面に基づいて詳細に説明する。
【００１５】
図１は本発明の一実施の形態である脚立用足場を脚立に取り付けた状態を示す斜視図であり、図２は図１に示す脚立用足場と脚立とを示す側面図である。また、図３は図１に示す脚立用足場本体フレームの要部を示す断面図であり、図４は図１に示す足場用踏板の詳細を示す斜視図である。また、図５は図１に示す脚立用足場の足場用踏板を折り畳んだ状態を示す斜視図であり、図６、図７、図８はそれぞれ図１に示す脚立用足場の変形例を示す斜視図である。
【００１６】
図１に示す脚立用足場１は、脚立２に着脱自在に取り付けられて使用されるものである。
【００１７】
最初に、この脚立用足場１が取り付けられる脚立２の構造について説明する。
【００１８】
脚立２は２つの脚体３，４を有している。脚体３は、一対の縦枠としてのパイプ部材５ａ，５ｂとこれらのパイプ部材５ａ，５ｂの間に設けられた２段の横桟６ａ，６ｂとを有している。それぞれの横桟６ａ，６ｂは、その長手方向の側面部においてそれぞれのパイプ部材５ａ，５ｂに溶接されており、パイプ部材５ａ，５ｂを相互に固定するようになっている。同様に、脚体４は、一対の縦枠としてのパイプ部材７ａ，７ｂとこれらのパイプ部材７ａ，７ｂの間に設けられた２段の横桟８ａ，８ｂとを有している。それぞれの横桟８ａ，８ｂは、その長手方向の側面部においてそれぞれのパイプ部材７ａ，７ｂに溶接されており、パイプ部材７ａ，７ｂを相互に固定するようになっている。
【００１９】
それぞれのパイプ部材５ａ，５ｂ，７ａ，７ｂの地面側となる端部には滑り止めとしてのゴムキャップ９が被せられており、脚立２が地面に対して滑るのを防ぐようになっている。また、横桟６ａ，６ｂ，８ａ，８ｂは作業者の足場となる足場面６ａＡ，６ｂＡ，８ａＡ，８ｂＡを有しており、その表面には滑り止めのための多数の突起部１０が形成されている。なお、この突起部１０に替えて足場面にゴム板を貼り付けるようにしてもよい。
【００２０】
これらの脚体３，４は、それぞれパイプ部材５ａ，５ｂ，７ａ，７ｂの上端部に固定されたヒンジ機構１１により互いに連結されて、開脚状態と閉脚状態とに開閉自在とされている。また、これらの脚体３，４を開脚状態とした際に、その開脚角度を所定の範囲に制限するために、横桟６ｂと横桟８ｂとの間には止め金具１２が設けられている。止め金具１２は、横桟６ｂに回動自在に取り付けられたＬ字部材１２ａと横桟８ｂに回動自在に取り付けられたＬ字部材１２ｂとがそれぞれ互いにピン１３によりピン結合された構造となっており、それぞれのＬ字部材１２ａ，１２ｂが互いに平行となったときに開脚角度が制限されるようになっている。
【００２１】
脚立２の上端部には天板１４が設けられている。この天板１４は、脚体３，４の上端部に取り付けられ、脚立２を開脚状態としたときにそれぞれ間隔Ｌを空けて互いに並列する天板用横桟１４ａ，１４ｂにより構成されている。
【００２２】
次に、このような構造となる脚立２に着脱自在に取り付けられる脚立用足場１の構造について説明する。
【００２３】
脚立用足場１は脚立用足場本体フレーム１５と足場用踏板１６とを有している。
【００２４】
脚立用足場本体フレーム１５は、それぞれ中空の角パイプにより形成された互いに平行となる２本の本体支柱１７，１８とそれぞれこれらの本体支柱１７，１８の両端部において本体支柱１７，１８を相互に連結する２つの水平梁部材１９，２０とを有する略長方形状の枠体とされている。この本体支柱１７，１８の長手方向の略中央部には足場用踏板１６が連結されており、脚立用足場本体フレーム１５の足場用踏板１６が連結された位置より下側の部分は脚部２１となっており、脚立用足場本体フレーム１５の足場用踏板１６が連結された位置より上側の部分は手摺２２となっている。つまり、足場用踏板１６は脚部２１の上端部に連結され、手摺２２は脚部２１の上部に設けられている。
【００２５】
足場用踏板１６と本体支柱１７，１８との間にはヒンジ部材２３が設けられており、この足場用踏板１６は脚部２１に対して図中矢印で示す方向に折り畳み自在となっている。そして、この足場用踏板１６を使用しないときには、図５に示すように、足場用踏板１６を折り畳んで脚立用足場１の外形寸法を縮小することができるようになっている。
【００２６】
このように、足場用踏板１６を脚部２１に対して折り畳み自在としたことにより、この脚立用足場１の持ち運びを容易にし、また、その保管スペースを縮小することができる。
【００２７】
脚部２１は、その下端部にそれぞれ横桟６ｂと連結される連結部２４，２５を有している。図３に示すように、これらの連結部２４，２５は横桟６ｂの足場面６ｂＡと接する荷重支持面２４ａ，２５ａとこの荷重支持面２４ａ，２５ａに対して垂直となる係止面２４ｂ，２５ｂとを有しており、係止面２４ｂ，２５ｂにはその軸方向が荷重支持面２４ａ，２５ａと平行となる止めねじ２４ｃ，２５ｃが設けられている。
【００２８】
また、脚部２１には、連結部２４，２５と本体支柱１７，１８との間に位置して脚長調整装置２６，２７が設けられている。この脚長調整装置２６，２７は、それぞれ一端が連結部２４，２５に固定され、本体支柱１７，１８より小径の副支柱２６ａ，２７ａを有しており、この副支柱２６ａ，２７ａが本体支柱１７，１８の中空部に挿入されることにより、連結部２４，２５が本体支柱１７，１８に対して摺動自在に支持されるようになっている。また、この副支柱２６ａ，２７ａには複数の位置決め穴２６ｂ，２７ｂがその長手方向に向けて所定の間隔で設けられており、いずれか一つの位置決め穴２６ｂ，２７ｂと本体支柱１７，１８に設けられた止めピン挿入穴１７ａ，１８ａとに止めピン２８を挿通させることにより、副支柱２６ａ，２７ａを本体支柱１７，１８に固定することができるようになっている。そして、この副支柱２６ａ，２７ａの本体支柱１７，１８の中空部への挿入量を変化させて、止めピン２８が挿通される位置決め穴２６ｂ，２７ｂを変えることにより、脚部２１の脚長をこの脚立用足場１を取り付ける脚立２に合わせて調整することができるようになっている。なお、止めピン２８の先端部には止めピン本体部２８ａに対して折り曲げ可能な抜け防止片２８ｂが設けられており、位置決め穴２６ｂ，２７ｂと止めピン挿入穴１７ａ，１８ａとに止めピン２８を挿通させた後にこの抜け防止片２８ｂを折り曲げることにより、止めピン２８が抜け落ちるのを防ぐことができるようになっている。
【００２９】
このように、脚部２１を伸縮自在としたことにより、脚立２の天板１４と横桟６ｂとの間の寸法に応じて脚部２１の寸法を変えることができるので、この脚立用足場１の汎用性を高めることができる。
【００３０】
足場用踏板１６は、図４に示すように、角パイプを略長方形状に接合して形成された外枠フレーム１６ａに金属製の網部材１６ｂを貼り付けた板状に形成されており、その横寸法および縦寸法が天板１４より大きく形成されている。したがって、この足場用踏板１６の足場面積は天板１４より広くなっている。また、外枠フレーム１６ａには補強フレーム１６ｃが固定されており、この足場用踏板１６の強度を向上させるようになっている。
【００３１】
補強フレーム１６ｃには、足場用踏板１６を天板１４に固定するための踏板固定装置２９が設けられている。踏板固定装置２９は、固定装置本体フレーム３０と２つの荷重支持バー３１ａ，３１ｂおよびロックバー３２とを有している。固定装置本体フレーム３０は、それぞれ補強フレーム１６ｃに対して垂直となる垂直部３０ａ，３０ｂとこれらの垂直部３０ａ，３０ｂを結ぶロックバー取り付け部３０ｃとを有するコの字形状となっており、それぞれの垂直部３０ａ，３０ｂの端部において補強フレーム１６ｃに固定されて足場用踏板１６と一体となっている。また、固定装置本体フレーム３０の幅寸法ｌは並列する２つの天板用横桟１４ａ，１４ｂの隙間Ｌより小さくなっている。荷重支持バー３１ａ，３１ｂは、天板１４の天板用横桟１４ａ，１４ｂが並列する方向の幅寸法とほぼ同等の長さに形成されており、それぞれ足場用踏板１６と平行となって垂直部３０ａ，３０ｂの略中央部に固定されている。ロックバー３２は、その長手寸法が天板１４の２つの天板用横桟１４ａ，１４ｂの並列する方向の幅寸法とほぼ同等の長さに形成されており、ロックバー取り付け部３０ｃの中間部に回転自在に装着されている。
【００３２】
手摺２２は、それぞれの本体支柱１７，１８の足場用踏板１６が連結された位置より上側の部分を手摺用支柱３３ａ，３３ｂとして、これらの手摺用支柱３３ａ，３３ｂの上端部に位置して固定された水平梁部材１９を手摺用横木３４として構成されている。なお、本実施の形態においては、手摺２２は２本の手摺用支柱３３ａ，３３ｂと１本の手摺用横木３４とにより構成されているが、これに限らず、図６に示すように、それぞれの手摺用支柱３３ａ，３３ｂの略中間位置に第２の水平梁部材３５を設けたものや、図７に示すように、それぞれの手摺用支柱３３ａ，３３ｂと手摺用横木３４とに囲まれた部分に背板部材としての金属製の網部材３６を設けたもの、もしくは図８に示すように、一方の手摺用支柱３３ａのみを足場用踏板１６より上方に突出させて手摺２２としたものであってもよい。なお、図８に示す場合には、水平梁部材１９を脚立用足場本体フレーム１５の足場用踏板１６が連結される位置に設けるようにしてもよい。
【００３３】
次に、このような構造の脚立用足場１の使用方法について説明する。
【００３４】
まず、開脚状態とされて所定の場所に設置された脚立２の横桟６ｂにそれぞれの連結部２４，２５を係合させる。このとき、止めねじ２４ｃ，２５ｃは、横桟６ｂが連結部２４，２５に係合できる程度にまで緩められている。そして、本体支柱１７，１８を横桟６ｂに対して上方に向けて起立した状態として、止めねじ２４ｃ，２５ｃをねじ込むことにより、荷重支持面２４ａ，２５ａと止めねじ２４ｃ，２５ｃおよび係止面２４ｂ，２５ｂとの間に横桟６ｂを挟み込み、連結部２４，２５を横桟６ｂに連結させる。
【００３５】
次に、足場用踏板１６を脚立用足場本体フレーム１５に対して上方に向けて折り畳んだ状態から、固定装置本体フレーム３０を２つの天板用横桟１４ａ，１４ｂの隙間Ｌに挿通するように天板上１４に設置する。なお、このときロックバー３２はロックバー取り付け部３０ｃと平行にされている。そして、固定装置本体フレーム３０を天板用横桟１４ａ，１４ｂの隙間Ｌに挿通した後、ロックバー３２をロックバー取り付け部３０ｃに対して垂直となる方向に回転させることにより、天板１４が荷重支持バー３１ａ，３１ｂとロックバー３２との間に挟みこまれ、足場用踏板１６が天板１４に固定されることになる。
【００３６】
このように、連結部２４，２５と横桟６ｂおよび天板１４と足場用踏板１６を連結することにより、脚立用足場１が脚立２に固定されることになる。そして、作業者は足場用踏板１６上に昇り、手摺２２を掴んで身体のバランスをとりながら高所作業を行うことになる。
【００３７】
このように、脚立２に、足場用踏板１６と手摺２２とを有する脚立用足場１を取り付けることにより、脚立２上での作業者の足場面積が広くなり、また、作業者は手摺２２を掴むことで身体を安定させることができる。そのため、作業者は脚立２上であっても作業に集中することができるので、脚立２上での作業能率が向上することになる。
【００３８】
また、作業者は手摺２２に掴まりながら足場用踏板１６に昇ることができ、また、足場用踏板１６から地面に降りる際にもこの手摺２２に掴まることができるため、脚立２への昇降を容易にすることができる。
【００３９】
本発明は前記実施の形態に限定されるものではなく、その要旨を逸脱しない範囲で種々変更可能であることはいうまでもない。たとえば、前記実施の形態においては、この脚立用足場１が取り付けられる脚立２は、天板用横桟１４ａ，１４ｂと２段の横桟６ａ，６ｂ，８ａ，８ｂとを有するものとなっているが、これに限らず、少なくとも１つの天板１４および横桟とを有していればよい。
【００４０】
また、前記実施の形態においては、本体支柱１７，１８および水平梁部材１９，２０等が角パイプにより形成されているが、これに限らず、断面円形のパイプ部材やＬ字部材など他の部材により形成するようにしてもよい。
【００４１】
さらに、前記実施の形態においては、足場用踏板１６には網部材１６ｂが用いられているが、これに限らず、板部材や波型鋼板など作業者の足場とできるものであれば他の部材を用いるようにしてもよい。
【００４２】
【発明の効果】
本発明によれば、脚立に、足場用踏板と手摺とを有する脚立用足場を取り付けることにより、脚立上での作業者の足場面積は広くなり、また、手摺を掴むことで作業者は身体を安定させることができる。そのため、作業者は脚立上での作業に集中することができ、脚立を用いた作業の作業能率を向上することができる。
【００４３】
また、作業者は手摺に掴まりながら足場用踏板に昇ることができ、また、足場用踏板から地面に降りる際にもこの手摺に掴まることができるため、脚立への昇降を容易にすることができる。
【００４４】
さらに、足場用踏板を脚部に対して折り畳むことによりこの脚立用足場の外部寸法を縮小することができるので、この脚立用足場の持ち運びを容易にし、また、その保管スペースを縮小することができる。
【００４５】
さらに、脚部を伸縮自在としたことにより、足場用踏板と横桟との間における脚部の寸法を変えることができるので、この脚立用足場の汎用性を高めることができる。
【図面の簡単な説明】
【図１】本発明の一実施の形態である脚立用足場を脚立に取り付けた状態を示す斜視図である。
【図２】図１に示す脚立用足場と脚立とを示す側面図である。
【図３】図１に示す脚立用足場本体フレームの要部を示す断面図である。
【図４】図１に示す足場用踏板の詳細を示す斜視図である。
【図５】図１に示す脚立用足場の足場用踏板を折り畳んだ状態を示す斜視図である。
【図６】図１に示す脚立用足場の変形例を示す斜視図である。
【図７】図１に示す脚立用足場の変形例を示す斜視図である。
【図８】図１に示す脚立用足場の変形例を示す斜視図である。
【符号の説明】
１　脚立用足場
２　脚立
３，４　脚体
５ａ，５ｂ　パイプ部材
６ａ，６ｂ　横桟
６ａＡ，６ｂＡ　足場面
７ａ，７ｂ　パイプ部材
８ａ，８ｂ　横桟
８ａＡ，８ｂＡ　足場面
９　ゴムキャップ
１０　突起部
１１　ヒンジ機構
１２　止め金具
１２ａ，１２ｂ　Ｌ字部材
１３　ピン
１４　天板
１４ａ，１４ｂ　天板用横桟
１５　脚立用足場本体フレーム
１６　足場用踏板
１６ａ　外枠フレーム
１６ｂ　網部材
１６ｃ　補強フレーム
１７，１８　本体支柱
１７ａ，１８ａ　止めピン挿入穴
１９，２０　水平梁部材
２１　脚部
２２　手摺
２３　ヒンジ部材
２４，２５　連結部
２４ａ，２５ａ　荷重支持面
２４ｂ，２５ｂ　係止面
２４ｃ，２５ｃ　止めねじ
２６，２７　脚長調整装置
２６ａ，２７ａ　副支柱
２６ｂ，２７ｂ　位置決め穴
２８　止めピン
２８ａ　止めピン本体部
２８ｂ　抜け防止片
２９　踏板固定装置
３０　固定装置本体フレーム
３０ａ，３０ｂ　垂直部
３０ｃ　ロックバー取り付け部
３１ａ，３１ｂ　荷重支持バー
３２　ロックバー
３３ａ，３３ｂ　手摺用支柱
３４　手摺用横木
３５　第２の水平梁部材
３６　網部材
ｌ　幅寸法
Ｌ　隙間
【図１】
2004036155.tif 000003
【図２】
2004036155.tif 000004
【図３】
2004036155.tif 000005
【図４】
2004036155.tif 000006
【図５】
2004036155.tif 000007
【図６】
2004036155.tif 000008
【図７】
2004036155.tif 000009
【図８】
2004036155.tif 000010